(57)【要約】【課題】簡素な構造でスピーカーを保持でき、ユーザに聞き取りやすくできる画像形成装置を提供する。【解決手段】画像形成装置は、筐体の内部にスピーカー７０が収納されており、筐体前面６１に、スピーカー７０が取り付けられる取付ガイド部８０を備える。取付ガイド部８０は、筐体前面６１に対して、スピーカー７０の前面を傾斜させる角度決め部８１が設けられている。【選択図】図５
2019101169.tif 000002
【特許請求の範囲】
【請求項１】
筐体の内部にスピーカーが収納された画像形成装置であって、
前記筐体の内側面に、前記スピーカーが取り付けられる取付ガイド部を備え、
前記取付ガイド部は、前記筐体の内側面に対して、前記スピーカーの前面を傾斜させる角度決め部が設けられていること
を特徴とする画像形成装置。
【請求項２】
請求項１に記載の画像形成装置であって、
前記スピーカーの背面を密閉するエンクロージャーを備え、
前記取付ガイド部は、前記スピーカーの外縁に沿うようにガイド内側面が形成され、
前記エンクロージャーは、前記取付ガイド部のガイド外側面に沿って取り付けられること
を特徴とする画像形成装置。
【請求項３】
請求項１または請求項２に記載の画像形成装置であって、
前記筐体の内側面は、前記スピーカーの前面に対向する位置に、内部から外部へ貫通する音孔が形成されていること
を特徴とする画像形成装置。
【請求項４】
請求項３に記載の画像形成装置であって、
前記取付ガイド部が設けられた前記筐体の内側面は、高さ方向において、上方へ向かうにしたがって、外部へ突出するように傾斜していること
を特徴とする画像形成装置。
【請求項５】
請求項３に記載の画像形成装置であって、
前記音孔は、略矩形状とされ、いずれかの辺が隣り合う辺よりも長く形成されていること
を特徴とする画像形成装置。
【請求項６】
請求項５に記載の画像形成装置であって、
前記音孔は、長手方向が水平方向に対して傾斜するように配置されていること
を特徴とする画像形成装置。
【請求項７】
請求項１から請求項６までのいずれか１つに記載の画像形成装置であって、
前記スピーカーの前面は、高さ方向において、上方へ向かうにしたがって、前記筐体の内側面から離間するように傾斜していること
を特徴とする画像形成装置。
【発明の詳細な説明】
【技術分野】
【０００１】
本発明は、筐体の内部にスピーカーが収納された画像形成装置に関する。
【背景技術】
【０００２】
従来、オフィスや家庭などに設置される画像形成装置においては、ユーザに対して様々な通知を行うため、搭載されたスピーカーでブザー音などを発していた。近年では、画像形成装置の多機能化が図られて、発する音の形態が変化しているので、ユーザが聞き取りやすく高品位な音を発することが求められている。
【０００３】
上述した事情を鑑みて、広い空間に設置される場合では、多くのユーザに伝えるために、無指向性の音を発することのできる画像形成装置が提案されている（例えば、特許文献１参照）。また、スピーカーを備える機器は、画像形成装置に限らず、カメラにおいては、スピーカーボックスを設けずに、音漏れを防止する構造が提案されている（例えば、特許文献２参照）。
【先行技術文献】
【特許文献】
【０００４】
【特許文献１】特開２０１４−１５７２７２号公報
【特許文献２】特開２００４−１２６３３４号公報
【発明の概要】
【発明が解決しようとする課題】
【０００５】
特許文献１に記載の画像形成装置は、エンクロージャーを備えたスピーカーユニットが、装置本体の外装カバーの内側に配置されている。この画像形成装置では、スピーカーによって外装カバーを振動させて、無指向性の音源となっているので、画像形成装置を操作しているユーザなど、特定の対象に対して聞き取りやすくすることができないという課題がある。
【０００６】
特許文献２に記載のカメラは、カメラ本体の上部に設けられたファインダーボックスと、ファインダーボックスの取り付けられたスピーカーとを有している。このカメラでは、ファインダーボックスの外側からスピーカーが取り付けられているので、スピーカーに埃や落下物が侵入する虞がある。
【０００７】
本発明は、上記の課題を解決するためになされたものであり、簡素な構造でスピーカーを保持でき、ユーザに聞き取りやすくできる画像形成装置を提供することを目的とする。
【課題を解決するための手段】
【０００８】
本発明に係る画像形成装置は、筐体の内部にスピーカーが収納された画像形成装置であって、前記筐体の内側面に、前記スピーカーが取り付けられる取付ガイド部を備え、前記取付ガイド部は、前記筐体の内側面に対して、前記スピーカーの前面を傾斜させる角度決め部が設けられていることを特徴とする。
【０００９】
本発明に係る画像形成装置では、前記スピーカーの背面を密閉するエンクロージャーを備え、前記取付ガイド部は、前記スピーカーの外縁に沿うようにガイド内側面が形成され、前記エンクロージャーは、前記取付ガイド部のガイド外側面に沿って取り付けられる構成としてもよい。
【００１０】
本発明に係る画像形成装置では、前記筐体の内側面は、前記スピーカーの前面に対向する位置に、内部から外部へ貫通する音孔が形成されている構成としてもよい。
【００１１】
本発明に係る画像形成装置では、前記取付ガイド部が設けられた前記筐体の内側面は、高さ方向において、上方へ向かうにしたがって、外部へ突出するように傾斜している構成としてもよい。
【００１２】
本発明に係る画像形成装置では、前記音孔は、略矩形状とされ、いずれかの辺が隣り合う辺よりも長く形成されている構成としてもよい。
【００１３】
本発明に係る画像形成装置では、前記音孔は、長手方向が水平方向に対して傾斜するように配置されている構成としてもよい。
【００１４】
本発明に係る画像形成装置では、前記スピーカーの前面は、高さ方向において、上方へ向かうにしたがって、前記筐体の内側面から離間するように傾斜している構成としてもよい。
【発明の効果】
【００１５】
本発明によると、筐体にスピーカーを直接取り付ける構造とすることで、スピーカーを保持する部材などを簡略化できる。また、スピーカーの向きを適宜設定することで、ユーザに聞き取りやすくできる。
【図面の簡単な説明】
【００１６】
【図１】本発明の第１実施形態に係る画像形成装置の概略側面図である。
【図２】図１に示す画像形成装置の外観を示す外観斜視図である。
【図３】筐体前面の一部を拡大して示す拡大正面図である。
【図４】図３の矢符Ａ−Ａでの上視断面図である。
【図５】図４の矢符Ｂ−Ｂでの側視断面図である。
【図６】内側面側から筐体前面を見た状態を示す拡大斜視図である。
【図７】本発明の第２実施形態におけるスピーカー近傍を拡大して示す拡大断面図である。
【図８】本発明の第３実施形態における筐体前面の一部を拡大して示す拡大正面図である。
【発明を実施するための形態】
【００１７】
（第１実施形態）
以下、本発明の第１実施形態に係る画像形成装置について、図面を参照して説明する。
【００１８】
図１は、本発明の第１実施形態に係る画像形成装置の概略側面図である。
【００１９】
画像形成装置１００は、スキャナ機能、複写機能、プリンタ機能、およびファクシミリ機能等を有する複合機であり、画像読取装置によって読み取られた原稿の画像を外部に送信し（スキャナ機能に相当する）、また、読み取られた原稿の画像または外部から受信した画像をカラーもしくは単色で用紙に画像形成する（複写機能、プリンタ機能、およびファクシミリ機能に相当する）。
【００２０】
画像読取部４１の上側には、画像読取部４１に対して開閉自在に支持された原稿搬送部５０（ＡＤＦ）が設けられている。原稿搬送部５０が開かれると、画像読取部４１の上方の原稿載置台４４が開放され、原稿を手置きで置くことができるようになっている。また、原稿搬送部５０は、載置された原稿を、画像読取部４１に設けられた原稿通過部４３の上に自動で搬送する。画像読取部４１は、載置された原稿または原稿搬送部５０から搬送された原稿を読み取って画像データを生成する。
【００２１】
画像形成装置１００は、光走査装置１、現像装置２、感光体ドラム３（感光体の一例）、ドラムクリーニング装置４、帯電器５、中間転写ベルト７、定着部１２、用紙搬送路Ｓ、給紙カセット１０、積載トレイ１５等を備えている。
【００２２】
画像形成装置１００では、ブラック（Ｋ）、シアン（Ｃ）、マゼンタ（Ｍ）、イエロー（Ｙ）の各色を用いたカラー画像、または単色（例えば、ブラック）を用いたモノクロ画像に応じた画像データが扱われる。画像形成装置１００の画像転写部２０には、４種類のトナー像を形成するための現像装置２、感光体ドラム３、ドラムクリーニング装置４、および帯電器５が４つずつ設けられ、それぞれがブラック、シアン、マゼンタ、およびイエローに対応付けられ、４つの画像ステーションＰａ、Ｐｂ、Ｐｃ、Ｐｄが構成されている。
【００２３】
ドラムクリーニング装置４は、感光体ドラム３の表面の残留トナーを除去および回収する。帯電器５は、感光体ドラム３の表面を所定の電位に均一に帯電させる。光走査装置１は、感光体ドラム３の表面を露光して静電潜像を形成する。現像装置２は、感光体ドラム３の表面の静電潜像を現像して、感光体ドラム３の表面にトナー像を形成する。上述した一連の動作によって、各感光体ドラム３の表面に各色のトナー像が形成される。
【００２４】
感光体ドラム３の上側には、中間転写ベルト７を介して中間転写ローラ６が配置されている。中間転写ベルト７は、転写駆動ローラ７ａおよび転写従動ローラ７ｂに張架され、矢符Ｃの方向へ周回移動し、ベルトクリーニング装置９によって残留トナーを除去および回収され、各感光体ドラム３の表面に形成された各色のトナー像が順次転写して重ね合わされて、中間転写ベルト７の表面にカラーのトナー像が形成される。
【００２５】
２次転写部１１の転写ローラ１１ａは、中間転写ベルト７との間にニップ域が形成されており、用紙搬送路Ｓを通じて搬送されて来た用紙をニップ域に挟み込んで搬送する。用紙は、ニップ域を通過する際に、中間転写ベルト７の表面のトナー像が転写されて定着部１２に搬送される。
【００２６】
定着部１２は、用紙を挟んで回転する定着ローラ３１および加圧ローラ３２を備えている。定着部１２は、定着ローラ３１および加圧ローラ３２の間にトナー像が転写された用紙を挟み込んで加熱および加圧し、トナー像を用紙に定着させる。
【００２７】
給紙カセット１０は、画像形成に使用する用紙を蓄積しておくためのカセットであり、光走査装置１の下側に設けられている。用紙は、用紙ピックアップローラ１６によって給紙カセット１０から引き出されて、用紙搬送路Ｓを通じて搬送され、２次転写部１１や定着部１２を経由し、排紙ローラ１７を介して積載トレイ１５へと搬出される。用紙搬送路Ｓには、用紙を一旦停止させて、用紙の先端を揃えた後、中間転写ベルト７と転写ローラ１１ａとの間のニップ域でのカラーのトナー像の転写タイミングに合わせて用紙の搬送を開始する用紙レジストローラ１４、用紙の搬送を促す搬送ローラ１３、および排紙ローラ１７が配置されている。
【００２８】
なお、図１では、給紙カセット１０が１つとされているがこれに限定されず、複数の給紙カセット１０を設けた構成とし、それぞれに異なる種類の用紙を蓄積してもよい。
【００２９】
また、用紙の表面だけでなく、裏面に画像形成を行う場合は、用紙を排紙ローラ１７から用紙反転経路Ｓｒへと逆方向に搬送して、用紙の表裏を反転させ、用紙を用紙レジストローラ１４へと再度導き、表面と同様にして裏面に画像形成を行い、用紙を積載トレイ１５へと搬出する。
【００３０】
図２は、図１に示す画像形成装置の外観を示す外観斜視図である。
【００３１】
画像形成装置１００の筐体６０は、略直方体形状とされ、上方に原稿搬送部５０および画像読取部４１が配設されている。また、画像形成装置１００の上部において、画像読取部４１の手前には、操作パネル６３が配設されている。操作パネル６３には、ユーザに操作される各種キーと液晶ディスプレイとが設けられている。画像読取部４１の下方には、積載トレイ１５が配設されている。
【００３２】
筐体６０の側面について、操作パネル６３が設けられている面が筐体前面６１とされ、筐体前面６１と対向する面が筐体背面６４とされ、残りの対向する側面が筐体側面６２とされている。以下では説明のため、筐体側面６２同士が対向する方向を幅方向Ｘと呼び、筐体前面６１と筐体背面６４とが対向する方向を奥行方向Ｙと呼び、幅方向Ｘおよび奥行方向Ｙに対し垂直な方向を高さ方向Ｚと呼ぶことがある。
【００３３】
画像形成装置１００には、筐体６０の内部にスピーカー７０（後述する図４参照）が収納されており、本実施の形態では、筐体前面６１にスピーカー７０が取り付けられている。
【００３４】
図３は、筐体前面の一部を拡大して示す拡大正面図であり、図４は、図３の矢符Ａ−Ａでの上視断面図であり、図５は、図４の矢符Ｂ−Ｂでの側視断面図であり、図６は、内側面側から筐体前面を見た状態を示す拡大斜視図である。なお、図６では、図面の見易さを考慮して、スピーカー７０を取り除いた状態を示している。
【００３５】
図３では、筐体前面６１の一部を構成する外装カバーであって、操作パネル６３と幅方向Ｘで隣接する部分（図２では、操作パネル６３の左方）を示している。図３に示す外装カバーは、筐体６０に対して、分離自在に形成されており、画像形成装置１００の組み立ての際に、外装カバーを嵌め込む構造とされている。外装カバーの内側面には、スピーカー７０が取り付けられる取付ガイド部８０が設けられている。つまり、スピーカー７０は、操作パネル６３の近傍であって、略同じ高さに配置されている。
【００３６】
取付ガイド部８０は、筐体前面６１の内側面から筐体６０の内側へ向かって突設されている。取付ガイド部８０は、内側面側から筐体前面６１を見た際（図６参照）、略円筒状に形成されており、内側にスピーカー７０を収納する構造とされている。換言すると、取付ガイド部８０は、スピーカー７０の外縁に沿うようにガイド内側面８２が形成されている。
【００３７】
ガイド内側面８２には、スピーカー７０の前面外縁に接する角度決め部８１が形成されている。角度決め部８１は、ガイド内側面８２の複数箇所に設けられており、筐体６０の内側へ延伸された長さが異なるように適宜設定されている。具体的に、角度決め部８１は、高さ方向Ｚで上方に設けられているものほど、端部が筐体６０の内側寄り（図５では、右方）に位置しており、高さ方向Ｚで下方に設けられているものほど、端部が筐体前面６１寄り（図５では、左方）に位置している。角度決め部８１に接するようにスピーカー７０を取り付けた結果、スピーカー７０の前面は、高さ方向Ｚにおいて、上方へ向かうにしたがって、筐体前面６１から離間するように傾斜する。図５に示すスピーカー補助線ＬＳは、スピーカー７０の前面に沿って延長した直線とされ、スピーカー角度θａは、水平方向（図５では、奥行方向Ｙ）に対してスピーカー７０の前面がなす角度を示している。
【００３８】
取付ガイド部８０の周囲には、後述するエンクロージャー９０（図７参照）を取り付けるためのネジ係合部８４が適宜形成されていてもよい。ネジ係合部８４には、ネジ溝が形成された凹部が設けられており、ネジを挿入してエンクロージャー９０を固定することができる。
【００３９】
筐体前面６１には、内部から外部へ貫通する音孔６１ａが形成されている。音孔６１ａは、長矩形状とされており、幅方向Ｘに沿うように長手方向が設定されている。また、音孔６１ａは、高さ方向Ｚで並べて複数設けられており、取付ガイド部８０で囲まれた領域に配置されている。したがって、音孔６１ａを設けた構造では、スピーカー７０から発せられた音が、音孔６１ａを通って外部へ抜けていくので、ユーザが音を聞き取りやすくすることができる。また、音孔６１ａは、いずれかの辺が隣り合う辺よりも長く形成された略長矩形状の長穴とされているので、開口している部分が広くなり、落下物等が内部へ侵入しづらい構造とすることができる。
【００４０】
図４に示すように、筐体前面６１には、幅方向Ｘに対して傾斜した傾斜部６１ｂが設けられている。傾斜部６１ｂは、操作パネル６３に近い側（図４では、右方）が筐体６０の内側へ入り込むように傾斜している。つまり、傾斜部６１ｂは、筐体６０の前面よりも、若干、操作パネル６３の側へ向けられている。また、上述した取付ガイド部８０および音孔６１ａは、傾斜部６１ｂに設けられている。
【００４１】
また、筐体前面６１は、図５に示すように、高さ方向Ｚに対しても傾斜した構造とされている。具体的に、筐体前面６１は、高さ方向Ｚにおいて、上方へ向かうにしたがって、外部へ突出するように傾斜している。図５に示す筐体補助線ＬＫは、筐体前面６１に沿って延長した直線とされ、筐体角度θｂは、水平方向（図５では、奥行方向Ｙ）に対して筐体前面６１がなす角度を示している。なお、高さ方向Ｚに対して傾斜させるのは、筐体前面６１の一部であって、取付ガイド部８０が設けられた部分でよく、本実施の形態では、外装カバーに傾斜を設けている。上述したように、筐体前面６１を傾斜させているので、埃や落下物等が音孔６１ａを介して内部へ侵入することを防止できる。
【００４２】
本実施の形態では、筐体６０にスピーカー７０を直接取り付ける構造とすることで、スピーカー７０を保持する部材などを簡略化できる。また、スピーカー７０の向きを適宜設定することで、ユーザに聞き取りやすくできる。
【００４３】
また、スピーカー７０が上方へ傾けるように取り付けられるので、画像形成装置１００よりも上方で聞き取りやすくすることができる。画像形成装置１００においては、上方から見下ろした状態で、操作されるように設計されたものが多いので、上方に対して指向性を持たせるように、構成されることが好ましい。この際、操作パネル６３の近傍から音が発せられる構造とすることで、画像形成装置１００を操作しているユーザに対して、画像形成装置１００から発せられた音であることを強く印象付けることができる。
【００４４】
スピーカー７０を取付ガイド部８０に取り付けた際、スピーカー７０の背面空間が密閉されていることが好ましい。そのため、図３に示す外装カバーと、外装カバーに面する筐体６０の内部の壁面とで密閉された空間を形成し、音が漏れない構造とされていることが好ましい。
【００４５】
（第２実施形態）
次に、本発明の第２実施形態に係る画像形成装置について、図面を参照して説明する。なお、第２実施形態に係る画像形成装置の構造については、第１実施形態と略同様であるので、説明および図面を省略する。
【００４６】
図７は、本発明の第２実施形態におけるスピーカー近傍を拡大して示す拡大断面図である。
【００４７】
第２実施形態では、第１実施形態に対して、スピーカー７０が筐体側面６２または筐体背面６４に取り付けられている点で異なる。スピーカー７０を取り付ける箇所には、第１実施形態と同様に、取付ガイド部８０が設けられている。筐体側面６２または筐体背面６４は、高さ方向Ｚに平行な面とされている。なお、幅方向Ｘや奥行方向Ｙに対して、筐体側面６２または筐体背面６４を傾斜させてもよい。
【００４８】
取付ガイド部８０のガイド内側面８２には、第１実施形態と略同様にして、角度決め部８１が設けられており、角度決め部８１に沿って取り付けることで、スピーカー７０は、筐体側面６２または筐体背面６４に対して、傾斜した構造とされている。筐体側面６２および筐体背面６４には、筐体前面６１と同様にして、音孔６２ａが設けられている。
【００４９】
第２実施形態では、スピーカー７０の背面側にエンクロージャー９０が取り付けられている。エンクロージャー９０は、椀状とされ、スピーカー７０の背面に面する側が開口しており、開口端部には、径を大きくした当接部９１が設けられている。スピーカー７０は、外縁の前面側が角度決め部８１で固定され、外縁の背面側が環状の弾性体９２を介して当接部９１に固定されている。また、当接部９１は、取付ガイド部８０のガイド外側面８３に沿うように、先端が延伸されている。なお、エンクロージャー９０には、スピーカー７０に接続された配線を通すための穴などが形成されていてもよく、スポンジ等で配線との隙間を塞ぐようにすればよい。
【００５０】
このように、スピーカー７０は、エンクロージャー９０によって背面が密閉されているので、音が籠って聞き取りにくくなることを防止できる。つまり、スピーカー７０においては、前面から発せられる音に対して、逆位相音が背面から発せられる。両者の音が干渉すると、音が籠って聞こえるので、逆位相音が漏れないようにすることが好ましい。
【００５１】
第２実施形態において、スピーカー７０を筐体背面６４に取り付けた場合では、音を周囲の物体に反射させて、前面側へ伝えることができる。この際、スピーカー７０から上方へ向けて音が発せられると、音が画像形成装置１００の上方を通過するようにでき、画像形成装置１００自身に遮られることを防止できる。
【００５２】
また、スピーカー７０を筐体側面６２に取り付けた場合では、スピーカー７０を上方へ向けるだけでなく、筐体前面６１側へ向けてもよい。つまり、奥行方向Ｙに沿って長さが異なる角度決め部８１を並べて、スピーカー７０の前面の角度を調整すればよい。
【００５３】
上述した図５では、エンクロージャー９０を備えない構成を示したが、これに限定されず、第１実施形態でも図７と同様にして、取付ガイド部８０にエンクロージャー９０を取り付けた構造としてもよい。
【００５４】
（第３実施形態）
次に、本発明の第３実施形態に係る画像形成装置について、図面を参照して説明する。なお、第３実施形態に係る画像形成装置の構造については、第１実施形態および第２実施形態と略同様であるので、説明および図面を省略する。
【００５５】
図８は、本発明の第３実施形態における筐体前面の一部を拡大して示す拡大正面図である。
【００５６】
第３実施形態は、第１実施形態に対して、音孔６１ａの向きが異なる。具体的に、音孔６１ａは、幅方向Ｘに対して傾斜するように長手方向が設定されている。
【００５７】
音孔６１ａは、操作パネル６３のある側（図８では、右側）に向かうに従って、高さ方向Ｚでの位置が高くなるように設定されている。つまり、図８では、左下から右上へ向かう方向が長手方向となるように、音孔６１ａを傾斜させている。この構成によると、スピーカー７０から発せられる音は、音孔６１ａの長手方向全域に広がって、操作パネル６３の側に伝わるので、操作パネル６３を操作しているユーザに確実に伝えることができるようになる。このことは、筐体前面６１を傾斜させて音孔６１ａに落下物が入らない構造とした場合において、特に有効となる。本実施の形態では、音孔６１ａの傾斜角を４５度としたが、音孔６１ａと操作パネル６３とが近い場合は、４５度よりも急な角度、例えば、７０度に設定してもよいし、音孔６１ａと操作パネル６３とが遠い場合は、４５度より小さい角度、例えば、２０度に設定してもよい。
【００５８】
つまり、図８に示す構造では、図３の構造と比べて、高さ方向Ｚで音孔６１ａの開口部が傾斜して配置されているため、より上方に向かって音が抜けやすくなり、さらに聞き取りやすくできる。
【００５９】
なお、今回開示した実施の形態は全ての点で例示であって、限定的な解釈の根拠となるものではない。従って、本発明の技術的範囲は、上記した実施の形態のみによって解釈されるものではなく、特許請求の範囲の記載に基づいて画定される。また、特許請求の範囲と均等の意味および範囲内での全ての変更が含まれる。
【符号の説明】
【００６０】
６０  筐体
６１  筐体前面
６１ａ  音孔
６１ｂ  傾斜部
６２  筐体側面
６３  操作パネル
６４  筐体背面
７０  スピーカー
８０  取付ガイド部
８１  角度決め部
８２  ガイド内側面
８３  ガイド外側面
８４  ネジ係合部
９０  エンクロージャー
９１  当接部
１００  画像形成装置
Ｘ  幅方向
Ｙ  奥行方向
Ｚ  高さ方向
【図１】
2019101169.tif 000003
【図２】
2019101169.tif 000004
【図３】
2019101169.tif 000005
【図４】
2019101169.tif 000006
【図５】
2019101169.tif 000007
【図６】
2019101169.tif 000008
【図７】
2019101169.tif 000009
【図８】
2019101169.tif 000010